(57)【要約】      （修正有）【課題】軽量で、使用時に親指、人差し指及び中指の三本で保持しながら楽に扱うことができる操作性に優れた業務用カミソリホルダーを提供する。【解決手段】業務用カミソリホルダー１における手持部分２の長さは、従来の業務用カミソリにおけるホルダーの長さと比べて格段に短く、例えば、約３０〜３５ｍｍ程度とする。ホルダーの先端部には、刃を備えた剃刀ヘッドを脱着自在に取り付けることができる構造を有する装着部４を設ける。剃刀でお客の髭を剃り易くするために、ホルダーの手持部分と先端の装着部との間が二つに分かれたＹ字構造のような分岐構造５を有し、使用時にホルダーの装着部に装着される剃刀ヘッドの刃体面に対してホルダーが上方に適度な傾き、例えば、約３０〜４５度の傾きとなるように手持部分と装着部との間でホルダーが屈曲した構造を有する。【選択図】図１
0003152571.tif 000002
【実用新案登録請求の範囲】
【請求項１】
先端に剃刀ヘッドを脱着自在に装着するための装着部を有する業務用カミソリホルダーであって、該ホルダーにおける手持部分の長さが２５〜４０ｍｍであることを特徴とする該ホルダー。
【請求項２】
手持部分の長さが３０〜３５ｍｍであり、手持部分の断面が略六角形であり、且つ、手持部分の表面に滑り止めが設けられて成ることを特徴とする、請求項１記載の業務用カミソリホルダー。
【請求項３】
ホルダーの手持部分と先端の装着部との間が二つに分かれた分岐構造を有し、使用時にホルダーの装着部に装着される剃刀ヘッドの刃体面に対してホルダーが上方３０〜４５度の傾きとなるように手持部分と装着部との間でホルダーが屈曲した構造を有する、請求項１又は２記載の業務用カミソリホルダー。
【考案の詳細な説明】
【技術分野】
【０００１】
本考案は、軽量で、使用時に親指、人差し指及び中指の三本で保持しながら楽に扱うことができる操作性に極めて優れた業務用カミソリホルダーに関するものである。
【背景技術】
【０００２】
理容店等において、お客の髭を剃る際に従来から使用される業務用カミソリは、ホルダー（「ハンドル」等ともいう）の長さが通常８０〜１１０ｍｍ程度あり、その先に同程度の長さを有するカミソリ刃の本体部分が折りたたみ自在に装着されて成る。更に、最近では、このようなホルダーの先に交換可能な、剃刀刃を有する交換可能な剃刀ヘッド（「刃台」等ともいう）を脱着自在に取り付けたタイプの業務用カミソリも見られる。
【０００３】
これらの従来の業務用カミソリを扱う場合には、通常、五本の指の全てを用いて長いホルダーを保持する必要があるために、髭を剃る方向に応じた各種の操作（「プッシュ」、「フリー」、「ペンシル」及び「バック」フィンガーなどと呼ばれる）をスムーズに行うには訓練と慣れが必要とされ、特に、手が小さく指の短い女性がスムースに操作するには困難な場合が多い。
【０００４】
又、一般の家庭で使用されるカミソリは、通常、「Ｔ型カミソリ」とよばれるタイプのものが多く、これは、自らの髭を剃りやすくする為に、通常８０〜１１０ｍｍ程度の長さのホルダーの先端に、ホルダーと直角方向になるように剃刀ヘッドが脱着自在に取り付けられているものである。
【０００５】
以上のような、Ｔ型カミソリにおいて剃刀ヘッドをホルダーに装着する機構・構造に関する多くの発明及び考案がなされている。
【先行技術文献】
【特許文献】
【０００６】
【特許文献１】実開昭５３−１６４３７９号公報
【特許文献２】実開昭５７−１３７４７４号公報
【特許文献３】実開昭６０−４７４６８号公報
【特許文献４】特開平７−２２７４８６号公報
【考案の概要】
【考案が解決しようとする課題】
【０００７】
本考案が解決しようとする問題点は、従来の業務用カミソリは、親指、人差し指及び中指の三本で保持しながら楽に扱うことができない点である。
【課題を解決するための手段】
【０００８】
本考案は、業務用カミソリホルダーの手持部分の長さが約３０〜４０ｍｍ程度、特に、約３０ｍｍ程度と、従来のものと比べて格段に短いことを主要な特徴とする。
【０００９】
即ち、本考案は以下の各態様を有する。
（１）先端に剃刀ヘッドを脱着自在に装着するための装着部を有する業務用カミソリホルダーであって、該ホルダーにおける手持部分の長さが２５〜４０ｍｍであることを特徴とする該ホルダー。
（２）手持部分の長さが３０〜３５ｍｍであり、手持部分の断面が略六角形であり、且つ、手持部分の表面に滑り止めが設けられて成ることを特徴とする、上記（１）記載の業務用カミソリホルダー。
（３）ホルダーの手持部分と先端の装着部との間が二つに分かれた分岐構造を有し、使用時にホルダーの装着部に装着される剃刀ヘッドの刃体面に対してホルダーが上方３０〜４５度の傾きとなるように手持部分と装着部との間でホルダーが屈曲した構造を有する、上記（１）又は（２）記載の業務用カミソリホルダー。
【考案の効果】
【００１０】
本考案の業務用カミソリホルダーの手持部の長さが従来の業務用カミソリのものに比べて６０〜７０ｍｍ程度も短かい。その結果、全体が軽量であり、カミソリを装着した使用時において、該ホルダーの手持部分を親指、人差し指及び中指の三本等で保持しながらカミソリを楽に扱うことができるので操作性に極めて優れ、手が小さく指の短い女性等でも、髭を剃る方向に応じた各種の操作を、特別な訓練を必要とせずに、極めてスムーズかつ迅速に行うことができる、という予想外の顕著な効果を生じるものである。
【図面の簡単な説明】
【００１１】
【図１】図１は、本考案の業務用カミソリホルダーの好適一例の平面図（Ａ）、底面図（Ｂ）、側面図（Ｃ）、及び、斜視図（Ｄ）である。尚、図中の数字は各部分の寸法（ｍｍ）を示す。
【考案を実施するための形態】
【００１２】
本考案を以下に図面を参照して説明する。尚、本考案の技術的範囲は図面の記載内容及び以下の説明に何等限定されるものでない。
【００１３】
本考案の業務用カミソリホルダー（１）における手持部分（２）の長さは、従来の業務用カミソリにおけるホルダーの長さと比べて格段に短かく、例えば、約２５〜４０ｍｍ、好ましくは、約３０〜３５ｍｍ程度であるために、操作性が格段に向上する。
【００１４】
ホルダーの手持部分の断面及び太さ等に特に制約はないが、親指、人差し指及び中指の三本による保持のし易さ、及び、操作性等を考慮して、通常の鉛筆の構造に準じた形状、即ち、断面は略六角形であり太さも鉛筆に略等しい（六角形の一辺の長さは４〜４．５ｍｍ程度）ものであることが好ましい。更に、手持部分の表面に当業者に公知の適当な滑り止め、例えば、約１ｍｍ程度の高さを有するリブ等の段差構造（３）が設けられていることが好ましい。
【００１５】
ホルダーの先端部には、刃を備えた剃刀ヘッドを脱着自在に取り付けることができる構造を有する装着部（４）が設けられている。かかる構造は、例えば、上記の先行技術文献に記載されているような、当業者に公知の任意の構造とすることができる。例えば、剃刀ヘッドには嵌着溝が設けられ、この嵌着溝に対向する両側縁には内側に向いた係止鉤部（又は、係合凹部）等が突設され、一方のホルダー先端の装着部の両側壁には外側に向けて係合突起（突条）等が突設され、ホルダーの装着部を剃刀ヘッドの嵌着溝に嵌入させることによって、剃刀ヘッドを本考案の業務用カミソリホルダー脱着自在に取り付けることが可能となる。
【００１６】
剃刀でお客の髭を剃り易くするために、ホルダーの手持部分と先端の装着部との間が二つに分かれたＹ字構造のような分岐構造（５）を有し、使用時にホルダーの装着部に装着される剃刀ヘッドの刃体面に対してホルダーが上方に適度な傾き（ａ）、例えば、約３０〜４５度の傾きとなるように手持部分と装着部との間でホルダーが屈曲した構造を有することが好ましい。
【００１７】
ホルダーは、ＡＢＳに代表される合成樹脂のような、適度の強度を有し且つ軽量な材質を用いて、成形加工等の当業者に公知の任意の方法で容易に作製がすることができる。更に、操作性を向上させる為に、例えばステンレス等から成る、適当な重しをホルダーの先端部等に設けることも可能である。又、業務用カミソリホルダー全体の表面に、装飾付与及び耐久性向上等の目的でメッキ等の適当な表面処理を施すことも可能である。
【００１８】
本考案の業務用カミソリホルダーには、当業者に公知の任意の剃刀ヘッドを装着することができる。これらの剃刀ヘッドは随時交換可能な市販品として一般に入手可能である。尚、本考案の業務用カミソリホルダーに剃刀ヘッドが装着された場合に、該ホルダーと剃刀ヘッドを含めた全体の位置関係は従来のＴ型カミソリに類似したものとなる。
【産業上の利用可能性】
【００１９】
理容店等において、本考案の業務用カミソリホルダーを用いるカミソリを使用することによって、お客の髭を極めてスムーズかつ迅速に剃ることが可能となる。
【符号の説明】
【００２０】
１    業務用カミソリホルダー
２    手持部分
３    滑り止め（段差構造）
４    装着部
５    分岐構造
【図１】
0003152571.tif 000003